(57)【要約】【課題】効果的な操作補助を実現する。【解決手段】スチル撮影モードと動画撮影モードで動作可能な一眼レフタイプのデジタルカメラ１において、デジタルカメラ１の保持状態を検出するため、レンズ鏡筒と本体背面のそれぞれに、手指の接触を検知するタッチセンサを配置する。スチル撮影をおこなう場合、手ブレなどを防止するため、右手で本体を保持し、左手でレンズ鏡筒を保持する形態が好適となる。よって、デジタルカメラ１の電源投入時に背面タッチセンサが接触を検知していれば、スチル撮影モードでデジタルカメラ１を起動する。一方、一眼レフタイプのデジタルカメラ１では、重心が前方寄りになるので、動画撮影の際は、片手でレンズ鏡筒を下から支持するような保持形態が好適となる。よって、電源投入時に鏡筒タッチセンサが接触を検知していれば、動画撮影モードでデジタルカメラ１を起動する。【選択図】図４
2010004217.tif 000002
【特許請求の範囲】
【請求項１】
複数の動作モードを切り替えて動作する電子装置において、
前記電子装置の状態を検出する検出手段と、
前記検出手段が検出した該電子装置の状態に基づいて、前記電子装置の使用者が所望する動作モードを予測する予測手段と、
前記予測手段が予測した動作モードで前記電子装置を動作させる動作手段と、
を備えることを特徴とする電子装置。
【請求項２】
前記検出手段は、前記電子装置の使用者による該電子装置の保持状態を検出する、
ことを特徴とする請求項１に記載の電子装置。
【請求項３】
前記検出手段は、前記電子装置の姿勢を検出する、
ことを特徴とする請求項１または２に記載の電子装置。
【請求項４】
前記予測手段は、前記電子装置に電源が投入された直後の前記検出手段による検出結果に基づいて、前記使用者が所望する動作モードを予測する、
ことを特徴とする請求項１乃至３のいずれか１項に記載の電子装置。
【請求項５】
前記予測手段は、前記電子装置の動作途中における前記検出手段の検出結果に基づいて、前記使用者が切り替えを所望する動作モードを予測する、
ことを特徴とする請求項１乃至４のいずれか１項に記載の電子装置。
【請求項６】
前記電子装置は、前記動作モードに、少なくとも、静止画像を撮像するための動作モードと動画像を撮像するための動作モードとを含んだ撮像装置であり、
前記予測手段は、前記検出手段の検出結果に基づいて、静止画像を撮像する際に好適な保持状態であるか動画像を撮像する際に好適な保持状態であるかを判別することで、所望される動作モードを予測する、
ことを特徴とする請求項２乃至５のいずれか１項に記載の電子装置。
【請求項７】
前記撮像装置は、少なくとも撮像動作時には使用者によって保持されるレンズ鏡筒を有し、
前記検出手段は、少なくとも、前記レンズ鏡筒の保持状態を検出する、
ことを特徴とする請求項６に記載の電子装置。
【請求項８】
前記電子装置は、折り畳み式の携帯電話であり、
前記検出手段は、該携帯電話の開閉状態をさらに検出し、
前記予測手段は、前記検出手段の検出結果に基づいて、該携帯電話が展開されたときの姿勢から、前記使用者が所望する動作モードを予測する、
ことを特徴とする請求項３に記載の電子装置。
【請求項９】
前記動作手段は、前記予測手段によって予測された動作モードに応じた機能割当をおこなう機能割当手段をさらに備える、
ことを特徴とする請求項１乃至８のいずれか１項に記載の電子装置。
【請求項１０】
前記検出手段は、手指の接触を検知するセンサによって保持状態を検出する、
ことを特徴とする請求項２乃至９のいずれか１項に記載の電子装置。
【請求項１１】
前記検出手段は、保持状態を検出するための複数のセンサを含み、
前記予測手段は、前記複数のセンサによる検出結果のパターンに基づいて保持状態の変化を判別することで、所望される動作モードを予測する、
ことを特徴とする請求項２乃至１０のいずれか１項に記載の電子装置。
【請求項１２】
複数の動作モードを切り替えて動作する電子装置のユーザ操作を補助するための操作補助方法であって、
前記電子装置の状態を検出する検出ステップと、
前記検出ステップで検出された状態に基づいて、前記電子装置の使用者が所望する動作モードを予測する予測ステップと、
前記予測ステップで予測された動作モードで前記電子装置を動作させる動作ステップと、
を含むことを特徴とする操作補助方法。
【請求項１３】
複数の動作モードを切り替えて動作する電子装置を制御するコンピュータに、
前記電子装置の状態を検出する機能と、
検出した状態に基づいて、前記電子装置の使用者が所望する動作モードを予測する機能と、
予測した動作モードで前記電子装置を動作させる機能と、
を実現させることを特徴とするプログラム。
【発明の詳細な説明】
【技術分野】
【０００１】
本発明は、電子装置、操作補助方法、および、プログラムに関し、特に、デジタルカメラや携帯電話などでのユーザ補助に好適な電子装置、操作補助方法、および、プログラムに関する。
【背景技術】
【０００２】
デジタルカメラや携帯電話などの電子機器では、単一の機器内に種々の機能を包含させることができる。例えば、デジタルカメラにおいては、スチル撮像機能だけでなく動画撮像機能を含んでいることが一般的であり、携帯電話においても、通話機能だけでなく、これらの撮像機能やその他の機能を含んでいることが一般的となっている。
【０００３】
このような電子機器の多機能化は、これまで個別の機器を用いる必要があった不便さを解消する反面、機能の切替操作をおこなうことや、機能毎に異なる操作を習得する必要があり、ユーザにとって煩雑となる場合もある。特に、初心者や高齢者などのような機器の操作に不慣れな者にとっては扱いづらく、機器のもつ機能を十分に活用することができないという問題がある。
【０００４】
また、デジタルカメラが広く普及したことにより、一眼レフカメラや、外観形状が一眼レフカメラと類似しているレンズ固定式カメラなどのような、比較的大型のレンズを搭載した中・上級者向けのデジタルカメラ（以下、「一眼レフタイプカメラ」とする）を使用するユーザ層も拡大している。このような中・上級者向け装置では、多機能化だけでなく、撮影機能についてのより高度な設定や操作が可能となるため、ボタン等の数も多く、ユーザが習得すべき操作が複雑となる。よって、初級者でも容易に扱うことのできるコンパクトカメラなどからステップアップしたユーザにとっては使いこなすことが困難となる場合もある。
【０００５】
このような不都合を解消するため、装置の位置状態を検出し、検出した位置状態に応じてモード切替などを自動的におこなってユーザ操作をサポートする手法が提案されている（例えば、特許文献１）。
【特許文献１】特開２００６−２８５０７３号公報
【発明の開示】
【発明が解決しようとする課題】
【０００６】
しかしながら、スチル撮像機能と動画撮像機能を搭載したカメラで、これらの撮像モードの切替操作をカメラ側がサポートする場合においては、ユーザの所望する動作モードとカメラの位置状態との間には必ずしも関連性がない。このため、従来の位置状態に基づく制御だけでは、ユーザ操作の適切なサポートをおこなうことができない。
【０００７】
ここで、上述した一眼レフタイプカメラのような、レンズ鏡筒がユーザによって保持されるカメラの場合、スチル撮影時と動画撮影時とでは好適な保持のしかたが異なる。すなわち、スチル撮影時は、手ブレなどが生じないよう、一方の手でカメラ本体を保持するとともに、他方の手でレンズ鏡筒を保持するスタイルとなるが、動画撮影時は、カメラの向きを変えながら撮影することがあるため、ホールド性を重視したスチル撮影時のスタイルは適さない。大型レンズを搭載した一眼レフタイプでは全体の重心がレンズ寄りとなるので、動画撮影の際には、レンズ全体を片手で保持して撮影するスタイルが好適となる。
【０００８】
このように、撮影モードに応じた好適な保持形態がある場合、保持形態と所望する動作モードとの間には一定の関連性があると言えるので、このようなカメラの保持状態に基づいてユーザ操作のサポートをすることができれば、より適切で効果的なユーザ補助となることが考えられる。しかしながら、装置の保持形態を考慮してユーザ補助をおこなう手法はこれまでなかった。
【０００９】
また、携帯電話で主流となっている折り畳み式の筐体構造の場合、使用する機能によって異なる装置の向きや傾きと開閉動作との組み合わせをユーザが所望する機能と関連づけることができるが、装置の位置状態と他の動作との組み合わせに基づいてユーザ補助をおこなう手法もこれまでなかった。
【００１０】
本発明は、上記実状に鑑みてなされたものであり、より適切なユーザ補助を実現することのできる電子装置、ユーザ補助方法、および、プログラムを提供することを目的とする。
【課題を解決するための手段】
【００１１】
上記目的を達成するため、本発明の第１の観点にかかる電子装置は、
複数の動作モードを切り替えて動作する電子装置において、
前記電子装置の状態を検出する検出手段と、
前記検出手段が検出した該電子装置の状態に基づいて、前記電子装置の使用者が所望する動作モードを予測する予測手段と、
前記予測手段が予測した動作モードで前記電子装置を動作させる動作手段と、
を備えることを特徴とする。
【００１２】
上記電子装置において、
前記検出手段は、前記電子装置の使用者による該電子装置の保持状態を検出することが望ましい。
【００１３】
上記電子装置において、
前記検出手段は、前記電子装置の姿勢を検出してもよい。
【００１４】
上記電子装置において、
前記予測手段は、前記電子装置に電源が投入された直後の前記検出手段による検出結果に基づいて、前記使用者が所望する動作モードを予測することが望ましい。
【００１５】
上記電子装置において、
前記予測手段は、前記電子装置の動作途中における前記検出手段の検出結果に基づいて、前記使用者が切り替えを所望する動作モードを予測することが望ましい。
【００１６】
上記電子装置は、前記動作モードに、少なくとも、静止画像を撮像するための動作モードと動画像を撮像するための動作モードとを含んだ撮像装置であることが望ましく、この場合、
前記予測手段は、前記検出手段の検出結果に基づいて、静止画像を撮像する際に好適な保持状態であるか動画像を撮像する際に好適な保持状態であるかを判別することで、所望される動作モードを予測することが望ましい。
【００１７】
上記撮像装置は、少なくとも撮像動作時には使用者によって保持されるレンズ鏡筒を有していることが望ましく、この場合、
前記検出手段は、少なくとも、前記レンズ鏡筒の保持状態を検出することが望ましい。
【００１８】
上記電子装置は、折り畳み式の携帯電話とすることができ、この場合、
前記検出手段は、該携帯電話の開閉状態をさらに検出し、
前記予測手段は、前記検出手段の検出結果に基づいて、該携帯電話が展開されたときの姿勢から、前記使用者が所望する動作モードを予測することが望ましい。
【００１９】
上記電子装置において、
前記動作手段は、前記予測手段によって予測された動作モードに応じた機能割当をおこなう機能割当手段をさらに備えていることが望ましい。
【００２０】
上記電子装置において、
前記検出手段は、手指の接触を検知するセンサによって保持状態を検出することが望ましい。
【００２１】
上記電子装置において、
前記検出手段は、保持状態を検出するための複数のセンサを含んでいることが望ましく、この場合、
前記予測手段は、前記複数のセンサによる検出結果のパターンに基づいて保持状態の変化を判別することで、所望される動作モードを予測することが望ましい。
【００２２】
上記目的を達成するため、本発明の第２の観点にかかる操作補助方法は、
複数の動作モードを切り替えて動作する電子装置のユーザ操作を補助するための操作補助方法であって、
前記電子装置の状態を検出する検出ステップと、
前記検出ステップで検出された状態に基づいて、前記電子装置の使用者が所望する動作モードを予測する予測ステップと、
前記予測ステップで予測された動作モードで前記電子装置を動作させる動作ステップと、
を含むことを特徴とする。
【００２３】
上記目的を達成するため、本発明の第３の観点にかかるプログラムは、
複数の動作モードを切り替えて動作する電子装置を制御するコンピュータに、
前記電子装置の状態を検出する機能と、
検出した状態に基づいて、前記電子装置の使用者が所望する動作モードを予測する機能と、
予測した動作モードで前記電子装置を動作させる機能と、
を実現させることを特徴とする。
【発明の効果】
【００２４】
本発明によれば、効果的なユーザ補助をおこなうことができる。
【発明を実施するための最良の形態】
【００２５】
（実施形態１）
本発明にかかる実施形態を、図面を参照して以下に説明する。本実施形態では、本発明にかかる電子装置をデジタルスチルカメラ（以下、デジタルカメラ）によって実現した場合を例示する。本実施形態にかかるデジタルカメラは、例えば、レンズ交換可能な一眼レフや、一眼レフカメラと外観形状が類似しているがレンズが本体に固定されているタイプのデジタルカメラ（以下、「一眼レフタイプカメラ」とする）である。すなわち、本実施形態にかかるデジタルカメラは、レンズ鏡筒が本体から常に突出している形態のデジタルカメラである。
【００２６】
このような本実施形態にかかるデジタルカメラの一例を図１に示す。図１は、本実施形態にかかるデジタルカメラ１００の外観を示す図である。本実施形態にかかるデジタルカメラ１００は、レンズが本体と一体的に固定された一眼レフタイプカメラであるものとする。本実施形態にかかるデジタルカメラ１００は、一眼レフタイプカメラの一般的な形状や構成を有しているものであり、図１に示すように、本体上面に電源ボタンやモードダイヤル、シャッタボタンなどが配置されている。
【００２７】
電源ボタンは、デジタルカメラ１００の電源をオン／オフする際に操作されるボタンであり、モードダイヤルは、デジタルカメラ１００のもつ動作モードを切り換えるために操作されるダイヤル式の選択スイッチである。本実施形態にかかるデジタルカメラ１００では、動作モードとして、少なくとも、スチル写真（静止画像）を撮影するための「スチル撮影モード」と、動画（ムービー）を撮影するための「動画撮影モード」が用意されているものとし、通常は、ユーザがモードダイヤルを操作することで、所望する動作モードへの切替をおこなう。
【００２８】
シャッタボタンは、主に、スチル撮影モードでのシャッタ操作に用いられるボタンであり、シャッタボタンの下には、図１に示すように、シャッタボタン操作時にユーザが把持するためのグリップが形成されている。
【００２９】
デジタルカメラ１００の本体から前方に突出しているレンズ鏡筒には、例えば、フォーカスリングやズームリングなどのような鏡筒の円周に沿って回転動作させる構成の他、図１に示すように、撮影時にレンズ鏡筒を保持している手で操作するためのボタンなどの構成（鏡筒ボタン群）が構成されているものとする。
【００３０】
このように、本実施形態にかかるデジタルカメラ１００の外観は、一眼レフカメラのようなスチルカメラとしての特徴を呈するものであるが、デジタル方式での撮像をおこなうため、一般的なデジタルカメラのように、スチル撮像だけでなく、動画撮像もおこなうことができる。つまり、動作モードの切替により、スチル撮影と動画撮影をおこなうことができるものである。
【００３１】
ここで、デジタルカメラ１００で手持ち撮影をおこなう場合、ユーザがデジタルカメラ１００を手で保持することになるが、大型のレンズが本体から突出している一眼レフタイプの場合、スチル撮影時と動画撮影時とで好適な保持形態が異なる。このような保持形態の違いを、図２および図３を参照して説明する。
【００３２】
まず、スチル撮影時に好適となる保持形態を、図２を参照して説明する。スチル撮影の場合、手ブレなどを防止するため、カメラをしっかり保持して撮影することが望ましい。よって、図２（ａ）に示すように、右手でグリップ部を保持するとともに、左手でレンズ鏡筒を保持する。このとき、図２（ｂ）に示すように、右手の親指は、デジタルカメラ１００の本体背面を押さえる位置となる。これによりデジタルカメラ１００をしっかり保持することができるので、図２（ａ）に示すような保持形態がスチル撮影時には好適となる。また、図２（ａ）に示す保持形態は、撮影しながらデジタルカメラ１００を横位置や縦位置にする動作も素早くおこなうことができるので、縦位置での撮影をおこなうことのあるスチル撮影に好適である。
【００３３】
次に、動画撮影時に好適となる保持形態を、図３を参照して説明する。動画撮影の場合、パンニングやチルトなどといった、撮影中にカメラの向きを変える動作が加わることがある。このため、デジタルカメラ１００をしっかり固定することを目的としたスチル撮影時の保持形態（図２（ａ））では、このような動画撮影時特有のカメラワークを阻害することがある。
【００３４】
よって、デジタルカメラ１００自体を容易に動かすことのできる保持形態をとることになるが、一眼レフタイプのデジタルカメラ１００の場合、大型のレンズが前方に突出しているので、デジタルカメラ１００全体の重心がレンズ寄り（前方寄り）となる。したがって、レンズの回頭性を重視してカメラ本体側のみを把持すると、不安定になりやすく、撮影した動画像が揺れてしまう他、ユーザの体力的な負担にもなる。
【００３５】
このような特性の一眼レフタイプのデジタルカメラ１００の場合、回頭性と安定性を両立できる保持形態とすることが動画撮影時には好適となる。この場合、図３に示すような保持形態が好適となる。つまり、図３（ａ）および図３（ｂ）に示すように、デジタルカメラ１００のレンズ鏡筒を下から支持するように保持することで、安定してデジタルカメラ１００を保持するとともに、手首の動きでパンニングやチルトを容易におこなうことができる。このような、カメラ本体側を把持せずにレンズ鏡筒を支持する保持形態が、一眼レフタイプのデジタルカメラ１００での動画撮影時には好適となる。
【００３６】
以上のように、一眼レフタイプの形状に基づく特性から、スチル撮影時と動画撮影時とで好適な保持形態が異なるので、デジタルカメラ１００での保持形態を検知することができれば、ユーザが所望する動作モードがスチル撮影モードであるか動画撮影モードであるか判別できると考えられる。本実施形態では、デジタルカメラ１００の保持状態からユーザが所望する動作モードを判別することで、ユーザ操作をサポートする動作（操作補助）をデジタルカメラ１００がおこなう。
【００３７】
このような動作を実現するため、本実施形態にかかるデジタルカメラ１００は、一般的なデジタルカメラとは異なり、ユーザによるデジタルカメラ１００の保持形態を判別するための構成が含まれる。本実施形態では、ユーザの手指の接触位置を検出するためのセンサをデジタルカメラ１００の外面上に構成することで保持形態の判別を図る。
【００３８】
本実施形態では、例えば、図４（ａ）に示すように、デジタルカメラ１００のレンズ鏡筒上にタッチセンサ（鏡筒タッチセンサ）を構成するとともに、図４（ｂ）に示すように、デジタルカメラ１００の本体背面にタッチセンサ（背面タッチセンサ）を構成し、これらによる検出結果から保持形態を判別する。
【００３９】
ここで、これらのタッチセンサは、例えば、静電容量方式などの動作原理で動作するタッチスイッチやタッチパッドなどであり、当該タッチセンサ上に手指が接触したことを検出することのできるセンサである。図４（ａ）に示した鏡筒タッチセンサは、スチル撮影時および動画撮影時の各保持形態において、レンズ鏡筒を保持している手の指が接触する位置（図２（ａ）および図３参照）に構成される。また、図４（ｂ）に示した背面タッチセンサは、スチル撮影の保持形態の際に、デジタルカメラ１００の本体背面で右手親指が接触する位置（図２（ｂ）参照）に構成される。
【００４０】
このようなデジタルカメラ１００の内部構成および動作を、図面を参照して以下に説明する。まず、図５を参照して、本実施形態にかかるデジタルカメラ１００の内部構成を説明する。図５は、デジタルカメラ１００の内部構成の例を示すブロック図である。
【００４１】
図示するように、制御部１１０、撮像部１２０、画像処理部１３０、入出力部１４０、操作部１５０、記憶部１６０、検出部１７０、などがデジタルカメラ１００の主要な内部構成である。
【００４２】
制御部１１０は、例えば、ＣＰＵ（Central Processing Unit：中央演算処理装置）などのプロセッサや、ＲＡＭ（Random Access Memory）などの主記憶装置（メモリ）、などから構成され、後述する記憶部１６０などに格納されているプログラムを実行することで、デジタルカメラ１００の各部を制御する。また、本実施形態では、所定のプログラムを実行することで、後述する各処理にかかる機能が制御部１１０によって実現される。
【００４３】
撮像部１２０は、デジタルカメラ１００の撮像動作をおこなう部分であり、例えば、レンズ、絞り機構、シャッタ機構、などの光学装置や、光学装置によって集光された入射光に応じた電気信号を生成する撮像素子（イメージセンサ）などから構成される。
【００４４】
画像処理部１３０は、撮像部１２０による撮像動作によって生成された電気信号を処理し、撮像画像を示すデジタルデータを生成するとともに、撮像画像に対する画像処理などをおこなうものであり、例えば、ＡＤＣ（Analog-Digital Converter：アナログ−デジタル変換器）、バッファメモリ、画像処理用のプロセッサ（いわゆる、画像処理エンジン）、画像メモリ、などから構成され、撮像部１２０によって生成された電気信号に基づいて、撮像画像を示すデジタルデータを生成する。
【００４５】
すなわち、撮像部１２０から出力されたアナログ電気信号をＡＤＣがデジタル信号に変換して順次バッファメモリに格納すると、バッファされたデジタルデータに対し、画像処理エンジンがいわゆる現像処理などをおこなうことで、画質の調整やデータ圧縮などをおこなう。
【００４６】
また、動画撮像の場合は、画像処理部１３０の動作によって、所定のフレームレートの動画像データが生成される。この場合、撮像部１２０から出力された画像信号を所定のフレームレートに応じたタイミングでフレーム画像とすることで動画像データとする。この場合、例えば、H.264/AVCなどの符号化規格に基づいた動画データ生成がおこなわれる。
【００４７】
入出力部１４０は、例えば、ＲＧＢ信号の生成回路や表示装置などのような、デジタルカメラ１００で撮像した画像を表示出力するための構成の他、マイクロフォンやＡＤＣ、ＣＯＤＥＣ（Coder-Decoder）などのような、動画撮像時に収録する音声を入力するための構成や、ＣＯＤＥＣやＤＡＣ（Digital-Analog Converter）、スピーカなどのような、撮像した動画を再生する際に音声を出力するための構成、などから構成される。
【００４８】
操作部１５０は、デジタルカメラ１００の外面上に構成されている各種ボタンなどによって構成され、デジタルカメラ１００の使用者による操作に応じた入力信号を生成して制御部１１０に入力する。図１〜図４に例示した、電源ボタン、シャッタボタン、モードダイヤル、鏡筒ボタン群、などは操作部１５０に含まれる。
【００４９】
記憶部１６０は、例えば、ＲＯＭ（Read Only Memory）やフラッシュメモリなどの記憶装置から構成され、デジタルカメラ１００の動作に必要なプログラムやデータなどを格納する。本実施形態では、制御部１１０などが実行する動作プログラムや処理に必要となるパラメータや演算式などが記憶部１６０に格納されているものとする。また、デジタルカメラ１００で撮像した画像データを格納するためのメモリカードなども記憶部１６０に含まれる。
【００５０】
検出部１７０は、デジタルカメラ１００の状態を検出するための構成であり、本実施形態では、上述した鏡筒タッチセンサや背面タッチセンサなどのような、手指の接触を検出するセンサなどから構成される。この場合、検出部１７０は、手指接触の検出に応じた信号（検出信号）を生成して制御部１１０に入力する。本実施形態では、デジタルカメラ１００の電源がオンとなっている間は、検出信号を常に制御部１１０に入力するものとする。
【００５１】
以上のような構成のデジタルカメラ１００では、記憶部１６０に格納されている動作プログラムを制御部１１０が実行することで、後述する各処理が実現される。この場合に制御部１１０によって実現される機能を、図６を参照して説明する。
【００５２】
図６は、制御部１１０によって実現される機能を示した機能ブロック図である。ここでは、保持状態に基づいた動作制御を実現するために必要な機能構成を示す。この場合、図示するように、制御部１１０は、操作判別部１１１、状態判別部１１２、動作制御部１１３、などとして機能する。
【００５３】
操作判別部１１１は、操作部１５０からの入力信号に基づいて、ユーザがどのような操作をおこなったか判別する。
【００５４】
状態判別部１１２は、検出部１７０からの検出信号に基づいて、デジタルカメラ１００の状態を判別する。本実施形態では、ユーザがデジタルカメラ１００をどのように保持しているか（保持状態）を判別し、判別した保持状態に基づいて、デジタルカメラ１００のユーザが所望する動作モードを予測する。
【００５５】
動作制御部１１３は、状態判別部１１２が判別した状態に応じてデジタルカメラ１００の各部を制御する。本実施形態では、状態判別部１１２が予測した動作モードでの起動や動作モードの自動切替などをおこなう。
【００５６】
以上が制御部１１０によって実現される機能である。なお、本実施形態では、制御部１１０がプログラムを実行することによる論理的処理で上述した各機能が実現されるものとするが、これらの機能を、例えば、ＡＳＩＣ（Application Specific Integrated Circuit：特定用途向け集積回路）などのハードウェアによって構成してもよい。
【００５７】
以上説明したデジタルカメラ１００の構成は、本発明を実現するために必要な構成であり、デジタルカメラとしての基本機能や種々の付加機能に用いられる構成は必要に応じて適宜備えられているものとする。
【００５８】
このような構成のデジタルカメラ１００による動作を以下に説明する。本実施形態では、デジタルカメラ１００の保持状態に基づいた動作モードの自動切替などをおこなうことで、ユーザ操作の補助を図る（ユーザサポート機能）。ここで、本実施形態にかかるデジタルカメラ１００には、スチル撮影モードや動画撮影モードなどの他に、動作モードの自動切替をおこなうための動作モード（「自動モード切替」）が用意されているものとし、モードダイヤルの操作などによってユーザに選択されるものとする。
【００５９】
上述したようなユーザサポート機能を実現するために本実施形態にかかるデジタルカメラ１００が実行する「動作制御処理」を、図７に示すフローチャートを参照して説明する。この「動作制御処理」は、デジタルカメラ１００の電源が投入されたことを契機に開始される。すなわち、電源ボタンが操作されることでデジタルカメラ１００の電源が投入されると、制御部１１０は、プログラムの実行により図６に示したような各構成として機能することで、以下の各処理を実行する。
【００６０】
処理が開始されると、操作判別部１１１は、モードダイヤルからの入力信号に基づいて、「自動モード切替」が選択されているか否かを判別する（ステップＳ１０１）。ここで、「自動モード切替」が選択されていない場合（ステップＳ１０１：Ｎｏ）は、本実施形態処理を終了し、選択されている動作モードに応じた通常の動作をおこなうことになる。
【００６１】
一方、「自動モード切替」が動作モードとして選択されている場合（ステップＳ１０１：Ｙｅｓ）、操作判別部１１１は、その旨を状態判別部１１２に通知する。状態判別部１１２は、デジタルカメラ１００に電源が投入されたときの保持状態を判別するための「保持状態判別処理」を実行する（ステップＳ１２０）。
【００６２】
ここで、デジタルカメラ１００の電源投入後にユーザが所望する動作モードと保持状態との関係を説明する。
【００６３】
スチル撮影をおこなう場合は、電源投入後に図２（ａ）に示したような保持形態にすることから、ユーザは、まず、図２（ｂ）に示すように、右手のみでデジタルカメラ１００を保持した状態で、左手を使って電源ボタンを操作することになる。すなわち、電源ボタンの操作時にはレンズ鏡筒が保持されないことになる。
【００６４】
一方、動画撮影をおこなう場合、図３に示したような形態でデジタルカメラ１００を保持してから電源ボタンを操作することになるので、電源ボタンの操作時にはレンズ鏡筒が保持されていることになる。
【００６５】
このように、電源投入後にスチル撮影をするか動画撮影をするかによって、電源投入時（電源ボタン操作時）の保持状態が異なることになる。よって、電源投入時における検出部１７０からの検出信号に基づいて、電源投入後に実行すべき動作モードを判別することができる。このような判別をおこなうための「保持状態判別処理」を、図８に示すフローチャートを参照して説明する。
【００６６】
上述したように、デジタルカメラ１００の電源がオンとなっている間は、常に検出部１７０からの検出信号が制御部１１０に入力されているので、状態判別部１１２はまず、電源投入直後の検出信号が、検出部１７０のうちの背面タッチセンサからであるか否かを判別する（ステップＳ１２１）。
【００６７】
スチル撮影をおこなう場合は、図２（ｂ）に示すように、右手でデジタルカメラ１００の本体を保持した状態で電源ボタンが操作されるので、この場合、背面タッチセンサ（図４（ｂ）参照）は右手手指の接触を検出することになる。一方、図３に示すような動画撮影時の保持状態では、電源ボタン操作時にデジタルカメラ１００の本体が保持されることがないので、背面タッチセンサに手指が接触することがない。
【００６８】
よって、検出部１７０からの検出信号が背面タッチセンサからである場合（ステップＳ１２１：Ｙｅｓ）、状態判別部１１２は、スチル撮影の保持状態であると判別する（ステップＳ１２２）。すなわち、電源投入時の保持状態から、ユーザが所望する動作モードが「スチル撮影モード」であると予測する。
【００６９】
一方、検出部１７０からの検出信号が、背面タッチセンサからではなく（ステップＳ１２１：Ｎｏ）、鏡筒タッチセンサ（図４（ａ）参照）からである場合（ステップＳ１２３：Ｙｅｓ）は、電源投入時にレンズ鏡筒が保持されていることになるので、状態判別部１１２は、動画撮影の保持状態であると判別する（ステップＳ１２４）。すなわち、電源投入時の保持状態から、ユーザが所望する動作モードが「動画撮影モード」であると予測する。
【００７０】
なお、電源投入時に背面タッチセンサからも鏡筒タッチセンサからも検出信号の入力がない場合（ステップＳ１２１：Ｎｏ、ステップＳ１２３：Ｎｏ）、状態判別部１１２は、撮影以外の保持状態であると判別する（ステップＳ１２５）。
【００７１】
このような保持状態の判別をおこなうと、図７に示す「動作制御処理」のフローに戻る。このとき、状態判別部１１２は、判別した保持状態を動作制御部１１３に通知する。
【００７２】
「動作制御処理」では、状態判別部１１２が判別した保持状態に基づいてデジタルカメラ１００の各部を制御することで、保持状態に応じた動作モードでデジタルカメラ１００を起動させる（ステップＳ１０２）。
【００７３】
すなわち、「スチル撮影の保持状態」と判別された場合は、撮像部１２０、画像処理部１３０、入出力部１４０などをスチル撮像の動作をおこなうよう制御することで、スチル撮影モードでデジタルカメラ１００を起動させる。また、「動画撮影の保持状態」と判別された場合は、撮像部１２０、画像処理部１３０、入出力部１４０などを動画撮像の動作をおこなうよう制御することで、動画撮影モードでデジタルカメラ１００を起動させる。
【００７４】
つまり、電源投入時に検出した保持状態に基づいて、電源投入後にユーザが所望する動作モードを予測し、予測した動作モードでデジタルカメラ１００を起動させる。
【００７５】
一方、「撮影以外の保持状態」と判別された場合は、例えば、入出力部１４０を制御することで、再生モードでデジタルカメラ１００を起動させたり、あるいは、動作モードを判別できない旨のメッセージを表示したりする。
【００７６】
このようにして、保持状態に応じた動作モードでデジタルカメラ１００を起動させると、動作制御部１１３は、操作部１５０を構成するボタンなどに、動作モードに応じた機能を割り当てる（ステップＳ１０３）。ここでは一例として、レンズ鏡筒に構成されている鏡筒ボタン群（図１参照）への機能割当を説明する。
【００７７】
上述したように、本実施形態にかかるデジタルカメラ１００は、スチルカメラとしての特徴や機能がメインとなっているので、鏡筒ボタン群をはじめとする各種操作ボタンなどは、スチル撮影用の機能がデフォルトとなっているものとする。例えば、鏡筒ボタン群には、スチル撮影時のフォーカス動作に関する機能がデフォルトで割り当てられているものとする。例えば、図１に示すように３つのボタンで構成されているような場合、それぞれに、「ＡＦ」、「マクロ」、「ＭＦ」が割り当てられているものとする。この場合、オートフォーカス（Auto Focus：ＡＦ）で撮影したいときには「ＡＦ」ボタンを操作し、マクロフォーカスで撮影したいときは「マクロ」ボタンを操作し、マニュアルフォーカス（Manual Focus：ＭＦ）で撮影したいときは「ＭＦ」ボタンを操作することになる。
【００７８】
保持状態に基づいて起動された動作モードがスチル撮影モードの場合は、動作制御部１１３は、鏡筒ボタン群のそれぞれに上述のデフォルト機能を割り当てるが、保持状態に基づいて起動した動作モードが動画撮影モードの場合、動作制御部１１３は、動画撮影に特有の機能をこれらのボタン群に割り当てる。この場合、例えば、動画のフレームレート切替に用いられるよう、鏡筒ボタン群に機能割当をおこなう。
【００７９】
ここでは、例えば、「ＡＦ」ボタンにはフレームレート「３０ｆｐｓ」、「マクロ」ボタンにはフレームレート「６０ｆｐｓ」、「ＭＦ」ボタンにはフレームレート「３００ｆｐｓ」、などをそれぞれ割り当てることで、動画撮影中のフレームレート切替を容易におこなえるようにする。あるいは、このような鏡筒ボタン群に、動画撮影の開始や停止、一時停止などを操作する機能や、ズーム動作を操作する機能などを割り当てるようにしてもよい。
【００８０】
このようにして、起動時の動作モードを保持状態から自動的に選択し、さらに、選択した動作モードに応じた機能割当をおこなうので、ユーザは、電源投入前にモードダイヤルを操作して動作モードの選択動作をおこなうことなく、所望する動作モードで撮影などをすぐにおこなうことができる。
【００８１】
ここで、ある動作モードを使用している途中で他の動作モードに切り替えることもある。例えば、スチル撮影をおこなっていたが、動画で撮影したい被写体が見つかったため、途中で動画撮影モードに切り替えることなどが考えられる。このような場合、通常は、ユーザがモードダイヤルなどを操作することで動作モードを切り替えることになるが、本実施形態では、デジタルカメラ１００の持ち方を変えるだけで自動的に動作モードを切り替えるようにする。
【００８２】
このような動作を説明するにあたり、各撮影モードで動作中の保持状態と、検出部１７０からの検出信号の関係を以下に説明する。
【００８３】
スチル撮影モードでスチル撮影をおこなっている場合、図２（ａ）に示すような保持状態となっているので、検出部１７０を構成する鏡筒タッチセンサと背面タッチセンサのいずれにもユーザの手指が接触していることになる。つまり、鏡筒タッチセンサと背面タッチセンサの双方から、接触していることを示す検出信号が同時に制御部１１０に入力されているときは、図２（ａ）に示すような保持状態であると判別することができる。
【００８４】
一方、図３に示すような動画撮影の保持状態である場合、背面タッチセンサにはユーザの手指が接触することがない。よって、検出部１７０を構成する鏡筒タッチセンサと背面タッチセンサのうち、鏡筒タッチセンサからのみ接触していることを示す検出信号が制御部１１０に入力されているときは、図３に示すような保持状態であると判別することができる。
【００８５】
ここで、スチル撮影中に動画撮影をおこないたくなった場合、ユーザは、図２（ａ）に示す保持状態から図３に示す保持状態となるよう持ち方を変える。この場合、鏡筒タッチセンサと背面タッチセンサの双方に手指が接触していた状態から、鏡筒タッチセンサのみに手指が接触する状態となる。
【００８６】
一方、動画撮影中にスチル撮影をおこないたくなった場合は、図３に示す保持状態から図２（ａ）に示す保持状態となるよう持ち方を変える。この場合は、鏡筒タッチセンサのみに手指が接触していた状態から、鏡筒タッチセンサと背面タッチセンサの双方に手指が接触する状態となる。
【００８７】
このように、デジタルカメラ１００の動作途中でユーザが持ち方を変えると、制御部１１０に入力される検出部１７０からの検出信号に変化が生じることになる。このように、検出部１７０からの検出信号が変化した場合（ステップＳ１０４：Ｙｅｓ）、状態判別部１１２は、保持状態を解析する（ステップＳ１０５）。
【００８８】
つまり、上述したような、保持状態が変化したことを示す検出信号の変化であるか解析する。例えば、図２（ａ）に示したスチル撮影の保持状態から図３に示す動画撮影の保持状態にする場合、スチル撮影時は左手でレンズ鏡筒を保持していたが、動画撮影時には右手でレンズ鏡筒を保持することになる。このような持ち替え動作をおこなう場合、ユーザは、レンズ鏡筒を保持していた左手で一旦デジタルカメラ１００の本体を保持した後に、レンズ鏡筒を右手に持ち替えることになる。
【００８９】
ここで、鏡筒タッチセンサにおいて、接触していないことを示す信号を「００」、接触していることを示す信号を「０１」とし、背面タッチセンサにおいて、接触していないことを示す信号を「１０」、接触していることを示す信号を「１１」とした場合、上述のようなスチル撮影の保持状態から動画撮影の保持状態に持ち替える際の信号変化のパターンは、「０１：１１」→「００：１１」→「０１：１０」となる。
【００９０】
検出部１７０からの検出信号の変化がこのようなパターンとなった場合、状態判別部１１２は、スチル撮影の保持状態から動画撮影の保持状態になったと判別する。すなわち、保持状態に変化があったと判別する（ステップＳ１０６：Ｙｅｓ）。
【００９１】
ここで、スチル撮影をおこなっている途中であっても、携行するために片手だけでデジタルカメラ１００を保持することも考えられる。例えば、左手だけでレンズ鏡筒を保持してデジタルカメラ１００を携行する場合もある。このような場合、鏡筒タッチセンサのみに手指が接触していることが動画撮影の保持状態であることの条件としてしまうと、スチル撮影の途中に片手でデジタルカメラ１００を携行しただけで、自動的に動画撮影モードに切り替わってしまうおそれがある。よって、状態判別部１１２は、単に検出部１７０からの検出信号が変化したことだけでなく、その変化のパターンを解析することで、より的確なモード切替をおこなうようにする。
【００９２】
単にレンズ鏡筒だけを保持してデジタルカメラ１００を携行するような場合、レンズ鏡筒の持ち替え動作がないので、検出信号の変化パターンは、「０１：１１」→「０１：１０」となる。この変化パターンは、スチル撮影の保持状態から動画撮影の保持状態に持ち替えたときの変化パターンとは異なる。この場合、状態判別部１１２は、動作モードの変更を要する保持状態の変化はないと判別する（ステップＳ１０６：Ｎｏ）。
【００９３】
このようにして、保持状態が変化したことを検出すると（ステップＳ１０６：Ｙｓ）、状態判別部１１２は、その旨を動作制御部１１３に通知する。動作制御部１１３は、変化後の保持状態に応じた動作モードとなるよう各部を制御することで動作モードを変更するとともに、変更した動作モードに応じた機能割当をおこなう（ステップＳ１０７）。
【００９４】
なお、保持状態の変化がないと判別された場合（ステップＳ１０６：Ｎｏ）は、このような動作モードの切り替えはおこなわない。よって、例えば、スチル撮影の途中で、スチル撮影に関する設定変更をするために右手でボタン類を操作するような場合でも、動作モードが切り替わらないので、スチル撮影についての設定操作をおこなうことができる。
【００９５】
このような、デジタルカメラ１００の保持状態が変化したことによる動作モードの自動切替は、所定の終了イベントが発生するまで随時おこなわれる（ステップＳ１０８：Ｎｏ）。
【００９６】
そして、例えば、「自動モード切替」の解除や、デジタルカメラ１００の電源オフなどのような終了イベントの発生により本処理は終了する（ステップＳ１０８：Ｙｅｓ）。
【００９７】
以上のように、保持状態を検出できるタッチセンサなどの検出部１７０を備えることで、ユーザが所望する動作モードを予測し、予測した動作モードで起動させる他、使用中の動作モードの切替を自動的におこなうことができる。
【００９８】
（実施形態２）
上記実施形態１では、デジタルカメラ１００の保持状態を検出するタッチセンサを検出部１７０として構成したが、デジタルカメラ１００の姿勢（傾き）を検出するセンサを検出部１７０として構成してもよい。
【００９９】
この場合、デジタルカメラ１００の姿勢に応じて、電源投入時の動作モードの自動選択をおこなうことができる。例えば、デジタルカメラ１００が正立している状態で電源が投入された場合はスチル撮影モードで起動し（図９（ａ））、デジタルカメラ１００が左９０°回転した状態で電源が投入された場合は再生モードで起動し（図９（ｂ））、デジタルカメラ１００が右９０°回転した状態で電源が投入された場合は動画撮影モードで起動する（図９（ｃ））ように制御することができる。
【０１００】
デジタルカメラにおいては、縦位置で撮影したときの画像を再生する際に、撮影時の縦位置方向に応じた方向に画像を９０°回転させて表示する機能が一般的になっているので、この機能を実現するためのセンサを利用して上述のような動作モードの自動選択をおこなうことができる。よって、実施形態１で例示したようなタッチセンサを構成していないデジタルカメラなどにおいても、起動時に動作モードが自動的に選択される動作をおこなうことができる。
【０１０１】
（実施形態３）
上記各実施形態では、一眼レフタイプのデジタルカメラで本発明を実現した場合を例示したが、その他の電子装置に本発明を適用することもできる。
【０１０２】
ここでは、一例として、携帯電話に本発明を適用した場合を説明する。本実施形態にかかる携帯電話２００は、図１０に示すような、折り畳み式の携帯電話であるものとする。ここで、携帯電話２００は、一般的な携帯電話と同様、基本機能である音声通話機能や電子メールの送受信機能だけでなく、カメラ機能（スチル＋動画）やテレビ放送（１セグメント放送（１セグ放送））の受信機能などのような、複数種類の付加機能（動作モード）を備えているものとする。
【０１０３】
ここで、折り畳み式の携帯電話は、携行時などには折りたたまれ、使用する際に展開されることが一般的である。すなわち、何らかの機能を使用する際は、閉状態から開状態となる。本実施形態では、このような開閉動作と、そのときの携帯電話２００の向きとに基づいて、動作モードを自動的に選択する動作をおこなうものとする。
【０１０４】
このような動作をおこなうための携帯電話２００の内部構成を、図１１を参照して説明する。図１１は、携帯電話２００の内部構成を示すブロック図である。図示するように、携帯電話２００は、制御部２１０、通信機能部２２０、撮像機能部２３０、放送受信機能部２４０、操作部２５０、記憶部２６０、検出部２７０、などから構成されている。
【０１０５】
制御部２１０は、例えば、ＣＰＵなどのプロセッサや、ＲＡＭなどの主記憶装置（メモリ）、などから構成され、後述する記憶部２６０などに格納されているプログラムを実行することで、携帯電話２００の各部を制御する。また、本実施形態では、所定のプログラムを実行することで、後述する各処理にかかる機能が制御部２１０によって実現される。
【０１０６】
通信機能部２２０は、例えば、セルラ通信用の通信モジュールやアンテナなどの通信装置や、スピーカやマイクロフォン、音声ＣＯＤＥＣなどの音声入出力装置、キーパッドなどの入力装置や液晶ディスプレイなどの表示装置、などのような音声通話や電子メールの送受信にかかる装置や機能を包含したものであり、制御部２１０が通信機能部２２０を制御することで、音声通話や電子メールの送受信、その他ウェブアクセスなどのような、無線通信によってセルラ網などに接続して種々の通信をおこなう機能が実現される。
【０１０７】
撮像機能部２３０は、例えば、カメラモジュールなどの撮像装置や、マイクロフォンや音声ＣＯＤＥＣなどの音声入力装置、スピーカや音声ＣＯＤＥＣ、表示装置などの画像や音声の出力装置、などのようなカメラ機能にかかる装置や機能を包含したものであり、制御部２１０が撮像機能部２３０を制御することで、携帯電話２００のもつカメラ機能が実現される。
【０１０８】
放送受信機能部２４０は、例えば、１セグチューナモジュールやアンテナなどの１セグ放送の受信装置、ＤＡＣなどの復号装置、スピーカや表示装置などの出力装置、などのようなテレビ放送の受信・再生にかかる装置や機能を包含したものであり、制御部２１０が放送受信機能部２４０を制御することで、携帯電話２００のもつテレビ放送受信機能が実現される。
【０１０９】
操作部２５０は、携帯電話２００の外面上に構成されている各種ボタンなどによって構成され、携帯電話２００の使用者による操作に応じた入力信号を生成して制御部２１０に入力する。
【０１１０】
記憶部２６０は、例えば、ＲＯＭ（Read Only Memory）やフラッシュメモリなどの記憶装置から構成され、携帯電話２００の動作に必要なプログラムやデータなどを格納する。本実施形態では、制御部２１０などが実行する動作プログラムや処理に必要となるパラメータや演算式などが記憶部２６０に格納されているものとする。また、携帯電話２００のカメラ機能で撮像した画像データを格納するためのメモリカードなども記憶部２６０に含まれる。
【０１１１】
検出部２７０は、携帯電話２００の状態を検出するための構成であり、本実施形態では、少なくとも、携帯電話２００の姿勢（傾き）を検出する姿勢センサと、携帯電話２００の開閉状態を検出する開閉センサから構成されているものとする。
【０１１２】
姿勢センサは、例えば、加速度センサなどから構成され、携帯電話２００の姿勢（傾き）を検出する。
【０１１３】
開閉センサは、例えば、リードスイッチやＭＲ−ＩＣ、ホールＩＣなどのような磁気式センサなどから構成され、折り畳み式である携帯電話２００の開閉状態を検出する。
【０１１４】
以上のような構成の携帯電話２００では、記憶部２６０に格納されている動作プログラムを制御部２１０が実行することで、後述する各処理が実現される。この場合に制御部２１０によって実現される機能は、上記実施形態１の図６で例示した操作判別部１１１、状態判別部１１２、動作制御部１１３と同様である。
【０１１５】
よって、本実施形態では、これらの機能構成をそれぞれ、操作判別部２１１、状態判別部２１２、動作制御部２１３と表記する。この場合、動作制御部２１３は、通信機能部２２０、撮像機能部２３０、放送受信機能部２４０などを制御する。また、これらの各機能はＡＳＩＣなどのハードウェアによって実現されてもよい。
【０１１６】
このような構成とした場合、状態判別部２１２は、検出部２７０を構成している姿勢センサと開閉センサからの検出信号に基づいて、閉状態の携帯電話２００が展開されたときの姿勢を判別することができる。この場合、例えば、閉状態の携帯電話２００（図１２（ａ））が正立の状態で展開された（図１２（ｂ））ことを状態判別部２１２が検出した場合、動作制御部２１３は、携帯電話２００の基本機能である音声通話や電子メールの送受信をおこなうための動作モード（電話／メールモード）で起動するよう通信機能部２２０を制御する。
【０１１７】
また、閉状態の携帯電話２００（図１２（ａ））が左９０°回転した状態で展開された（図１２（ｃ））ことを状態判別部２１２が検出した場合は、動作制御部２１３が撮像機能部２３０を制御することで、撮像機能を利用できる動作モード（カメラモード）で起動させる。
【０１１８】
さらに、閉状態の携帯電話２００（図１２（ａ））が右９０°回転した状態で展開された（図１２（ｄ））ことを状態判別部２１２が検出した場合は、テレビ放送の受信機能を利用できる動作モード（ＴＶモード）で起動するよう、動作制御部２１３が放送受信機能部２４０を制御する。
【０１１９】
このような動作とすることで、所定の姿勢で携帯電話２００を展開させることで、ユーザが所望する動作モードを自動的に起動させ、ユーザ操作を効果的に補助することができる。
【０１２０】
以上説明したように、本発明を上記実施形態の如く適用することにより、デジタルカメラや携帯電話などの電子装置における効果的なユーザ補助を実現することができる。
【０１２１】
つまり、実施形態１で例示した構成の場合、電源投入時の保持状態に応じて、装置が自動的に動作モードを選択して起動するので、ユーザは、電源投入前にモード設定の操作をおこなうことなく、電源投入操作をするだけで、所望する動作モードで装置を利用することができる。また動作途中で持ち方を変えると、その持ち方に応じた動作モードへ自動的に切り替わる。これにより、装置の操作が苦手なユーザ（高齢者や初心者など）であっても、所望する動作モードを利用することができる。
【０１２２】
この場合において、自動的に選択された動作モードに応じて、操作系の機能割当も自動的におこなわれるので、使用している動作モードで用いる各種操作を容易に利用することができる。
【０１２３】
また、保持状態だけでなく、装置の傾きによって動作モードを自動選択することもできるので、保持状態を判別するためのセンサを備えていない電子装置であっても、効果的なユーザ補助をおこなうことができる。また、一眼レフタイプのデジタルカメラだけでなく、携帯電話などの電子装置でもこのようなユーザ補助を実現することができる。
【０１２４】
上記実施形態は一例であり、本発明の適用範囲はこれに限られない。すなわち、種々の応用が可能であり、あらゆる実施の形態が本発明の範囲に含まれる。
【０１２５】
例えば、上記実施形態１では、一眼レフタイプのデジタルカメラにおいて、レンズ鏡筒と本体背面にタッチセンサを備える構成を例示したが、タッチセンサの位置や数は任意であり、例示したものに限られるものではない。例えば、指紋認証機能などで用いられるような、指紋読取センサをタッチセンサとして用いることもできる。実施形態１で例示したように、スチル撮影時には左手でレンズ鏡筒を保持し（図２（ａ））、動画撮影時には右手でレンズ鏡筒を保持する（図３）のであれば、両手の手指の指紋を登録しておき、レンズ鏡筒に接触している手指の指紋を読み取ることで、どちらの手でレンズ鏡筒を保持しているか判別することができる。この場合、レンズ鏡筒にセンサを１つ備えるだけで、保持状態を確実に判別することができる。
【０１２６】
なお、図３で例示した動画撮影の保持形態は、右手でレンズ鏡筒を保持するものであるが、このような保持形態を左手でおこなうこともあり得る。この場合、スチル撮影の際も動画撮影の際も左手でレンズ鏡筒を保持することになるので、右手であるか左手であるかの基準だけでは正確に判別することができない。このような場合でも、両手の各指の指紋を登録しておけば、同じ左手であっても、スチル撮影の場合と動画撮影の場合では、センサに接触する指が異なるので、保持状態を判別することができる。
【０１２７】
このように、動画撮影時に左手でレンズ鏡筒が保持される場合、実施形態１で例示した検出信号の変化パターンによる解析でも、保持状態の変化を検出することができる。つまり、図２（ａ）に示したスチル撮影の保持形態から、左手でレンズ鏡筒を保持する動画撮影の保持形態に変わった場合、鏡筒タッチセンサと背面タッチセンサの検出信号の変化パターンは、「０１：１１」→「００：１１」→「０１：１１」→「０１：１０」となり、携行のために片手で保持する場合のパターン（「０１：１１」→「０１：１０」）とは異なる。よって、動作モードの切替を要するような保持状態の変化であるか否かを判別することができる。
【０１２８】
また、センサの配置位置はレンズ鏡筒でなくてもよい。例えば、シャッタボタン下のグリップ（図１）にタッチセンサを配置すれば、グリップでの手指接触の有無を検出することができ、グリップを握るスチル撮影の保持形態（図２（ａ））と、グリップを握らない動画撮影の保持形態（図３）とを峻別することができる。この場合も、グリップにセンサを１つ備えるだけで、保持状態の基本的な判別をおこなうことができる。
【０１２９】
また、上記実施形態１では、一眼レフタイプのデジタルカメラにおける保持状態を検出するために、タッチセンサを用いる例を示したが、動作モード（使用目的）に応じた保持状態の違いを検出できるのであれば、検出するための構成はタッチセンサに限られず任意である。例えば、図３に示したような動画撮影の保持形態でのみ使用されるグリップベルト（レンズ鏡筒を保持する手とレンズ鏡筒とを固定するための補助アクセサリ）などが装着されている場合、グリップベルトが使用されていることを検出するセンサなどを設けることで、スチル撮影の保持状態であるか動画撮影の保持状態であるかを判別することもできる。
【０１３０】
また、上記実施形態１では、保持状態の変化を確実に検出するために、検出信号の変化パターンを解析するものとしたが、より単純な判別基準で動作してもよい。実施形態１で示したような一眼レフタイプのデジタルカメラでの保持状態を判別する場合には、鏡筒タッチセンサと背面タッチセンサの双方に手指が接触している場合はスチル撮影の保持状態、鏡筒タッチセンサのみに手指が接触している場合は動画撮影の保持状態、というような単純な判別基準で判別してもよい。この場合、スチル撮影の途中でレンズ鏡筒を片手で保持して携行するような場合にも動画撮影モードに切り替わってしまうが、再び図２（ａ）に示すような保持状態となったときにスチル撮影モードに切り替えれば、そのままスチル撮影を継続することができる。
【０１３１】
また、上記実施形態２および実施形態３では、装置の姿勢によって起動させる動作モードを異ならせる例を示したが、姿勢と動作モードとの対応関係は任意であり、例示したものに限られるものではない。装置の姿勢と動作モードの対応関係については、例えば、ユーザが任意に設定できるようにしてもよい。
【０１３２】
なお、本発明にかかる電子装置は、上記実施形態で例示したデジタルカメラ１００や携帯電話２００のように、本発明にかかる構成や機能を予め備えた電子装置として提供できる他、制御部１１０や制御部２１０の各機能と同様の機能を実現するプログラムを適用することにより、既存の電子装置を本発明にかかる電子装置をして機能させることもできる。
【０１３３】
このようなプログラムの適用方法は任意であり、例えば、ＣＤ−ＲＯＭやメモリカードなどの記憶媒体に格納して適用できる他、例えば、インターネットなどの通信媒体を介して適用することもできる。
【図面の簡単な説明】
【０１３４】
【図１】本発明の実施形態１にかかるデジタルカメラの例を示す図である。
【図２】図１に示すデジタルカメラの保持状態を説明するための図であり、（ａ）はスチル撮影時の保持状態を示し、（ｂ）はスチル撮影前の電源投入時における保持状態を示す。
【図３】図１に示すデジタルカメラの保持状態を説明するための図であり、（ａ）および（ｂ）は、動画撮影時の保持状態を示す。
【図４】図１に示すデジタルカメラが備えるタッチセンサを説明するための図であり、（ａ）はレンズ鏡筒に配置されたタッチセンサを示し、（ｂ）は本体背面に配置されたタッチセンサを示す。
【図５】本発明の実施形態１にかかるデジタルカメラの内部構成を示すブロック図である。
【図６】図５に示す制御部によって実現される機能構成を示す機能ブロック図である。
【図７】本発明の実施形態１にかかる「動作制御処理」を説明するためのフローチャートである。
【図８】図７に示す「動作制御処理」で実行される「保持状態判別処理」を説明するためのフローチャートである。
【図９】本発明の実施形態２にかかるデジタルカメラの動作を説明するための図であり、（ａ）はデジタルカメラが正立している状態を示し、（ｂ）はデジタルカメラが左９０°回転した状態を示し、（ｃ）はデジタルカメラが右９０°回転した状態を示す。
【図１０】本発明の実施形態３にかかる携帯電話の例を示す図である。
【図１１】図１０に示す携帯電話の内部構成を示すブロック図である。
【図１２】本発明の実施形態３にかかる携帯電話の動作を説明するための図であり、（ａ）は閉状態の携帯電話を示し、（ｂ）は閉状態の携帯電話を正立で展開した状態を示し、（ｃ）は閉状態の携帯電話を左９０°回転させて展開した状態を示し、（ｄ）は閉状態の携帯電話を右９０°回転させて展開した状態を示す。
【符号の説明】
【０１３５】
１００…デジタルカメラ、１１０…制御部、１１１…操作判別部、１１２…状態判別部、１１３…動作制御部、１２０…撮像部、１３０…画像処理部、１４０…入出力部、１５０…操作部、１６０…記憶部、１７０…検出部、２００…携帯電話、２１０…制御部、２１１…操作判別部、２１２…状態判別部、２１３…動作制御部、２２０…通信機能部、２３０…撮像機能部、２４０…放送受信機能部、２５０…操作部、２６０…記憶部、２７０…検出部
【図１】
2010004217.tif 000003
【図２】
2010004217.tif 000004
【図３】
2010004217.tif 000005
【図４】
2010004217.tif 000006
【図５】
2010004217.tif 000007
【図６】
2010004217.tif 000008
【図７】
2010004217.tif 000009
【図８】
2010004217.tif 000010
【図９】
2010004217.tif 000011
【図１０】
2010004217.tif 000012
【図１１】
2010004217.tif 000013
【図１２】
2010004217.tif 000014